(57)【要約】      （修正有）【課題】固定強度又は位置決め強度を高めたファスナーのスライダー組立構造体及びその弾性部材を提供する。【解決手段】スライダー組立構造体は、摺動部１、弾性部材２及び引き手３を含む。摺動部は第１の固定座１１、第２の固定座１２及び貫通孔１１０を含む。弾性部材は摺動部に配置され、第１の固定座と係合する第１の固定部２１と、第２の固定座と係合する第２の固定部２２と、可動的に貫通孔を貫通する挿入部２５とを備える。引き手と弾性部材とは係合するように形成される。第１の固定部は第１の凹溝構造２１１を備え、第２の固定部は第２の凹溝構造２２１を備える。第１の固定座の一部が第１の固定部を効果的に固定するように、第１の凹溝構造に配置され、第２の固定座の一部が第２の固定部を効果的に固定するように第２の凹溝構造に配置される。【選択図】図１
0003219336.tif 000002
【実用新案登録請求の範囲】
【請求項１】
第１の固定座、第２の固定座及び貫通孔を備える第１の摺動体と、前記第１の摺動体と対応するように設けられる第２の摺動体と、前記第１の摺動体と前記第２の摺動体との間に連結される連結体とを備える摺動部と、
前記第１の固定座と係合するように形成される第１の固定部と、前記第２の固定座と係合するように形成される第２の固定部と、前記第２の固定部に連結される弾性部と、前記弾性部に連結される引っ張り部と、前記引っ張り部に連結され可動的に前記貫通孔を貫通する挿入部と、を備え、前記摺動部に設けられる弾性部材と、
前記摺動部と前記弾性部材との間に配置される軸支体を備え、前記弾性部材と係合するように形成される引き手と、
を含み、
前記第１の固定部は第１の凹溝構造を備え、前記第１の固定座に一部が前記第１の凹溝構造内に配置され、前記第１の固定部が前記第１の固定座に対する水平方向での移動を制限し、
前記第２の固定部は第２の凹溝構造を備え、前記第２の固定座の一部が前記第２の凹溝構造内に配置され、前記第２の固定部が前記第２の固定座に対する水平方向での移動を制限する、ことを特徴とする、スライダー組立構造体。
【請求項２】
前記弾性部材は、前記第１の固定部と前記第２の固定部との間に連結される完全露出連結部と、前記第１の固定部に連結される尾端固定部とを備え、
前記完全露出連結部は前記第１の固定座と前記第２の固定座との間に配置され、かつ、前記尾端固定部と前記第１の固定座とは係合するように形成され、
前記第１の固定座は第１の左側被覆部及び第１の右側被覆部を含み、前記第１の固定部における左側端部が前記第１の左側被覆部に被覆される前記第１の固定座に固定され、かつ、前記第１の固定部の右側端部が前記第１の右側被覆部に被覆され、前記第１の固定座に固定され、
前記第２の固定座には第２の左側被覆部及び第２の右側被覆部が設けられ、前記第２の固定部の左側端部が前記第２の左側被覆部に被覆されて前記第２の固定座に固定され、かつ、前記第２の固定部の右側端部が前記第２の右側被覆部に被覆されて前記第２の固定座に固定される、ことを特徴とする、請求項１に記載するスライダー組立構造体。
【請求項３】
前記第１の凹溝構造には少なくとも１つの第１の凹溝が設けられ、前記第１の固定座は少なくとも１つの前記第１の凹溝内に配置される少なくとも１つの第１の凸部を備え、
前記第２の凹溝構造には少なくとも１つの第２の凹溝が設けられ、前記第２の固定座は、少なくとも１つの前記第２の凹溝内に配置される少なくとも１つの第２の凸部を備え、
前記第１の固定部の幅と前記第２の固定部の幅とは、いずれも前記完全露出連結部の幅よりも小さく形成され、かつ、いずれも前記尾端固定部の幅よりも大きく形成され、
少なくとも１つの前記第１の凹溝の内側面から前記第１の固定部の外側辺までの距離は前記第１の固定部の幅よりも小さく形成されると共に、少なくとも１つの前記第２の凹溝の内側面と前記第２の固定部の外側辺との間の距離は前記第２の固定部の幅よりも小さく形成される、ことを特徴とする、請求項２に記載するスライダー組立構造体。
【請求項４】
前記第１の凹溝構造には、互いに対応するように設けられる２つの第１の凹溝が設けられ、かつ、前記第１の固定座はそれぞれ２つの前記第１の凹溝内に配置される２つの第１の凸部を備え、
前記第２の凹溝構造には、互いに対応するように設けられる２つの第２の凹溝が設けられ、かつ、前記第２の固定座はそれぞれ２つの前記第２の凹溝内に配置される２つの第２の凸部を備え、
前記第１の固定部の幅と前記第２の固定部の幅とがいずれも前記完全露出連結部の幅よりも小さく形成され、かつ、いずれも前記尾端固定部の幅よりも大きく形成され、
一方の前記第１の凹溝の内側面と、他方の前記第１の凹溝の内側面との間の距離は前記第１の固定部の幅よりも小さく形成され、かつ、一方の前記第２の凹溝の内側面と他方の前記第２の凹溝の内側面との間の距離は前記第２の固定部の幅よりも小さく形成される、ことを特徴とする、請求項２に記載するスライダー組立構造体。
【請求項５】
第１の固定座、第２の固定座及び貫通孔を備える摺動部と、
前記第１の固定座と係合するように形成される第１の固定部と、前記第２の固定座と係合するように形成される第２の固定部と、可動的に前記貫通孔を貫通する挿入部とを備え、前記摺動部に設けられる弾性部材と、
前記弾性部材と係合するように形成される引き手と、
を含み、
前記第１の固定部は第１の凹溝構造を備え、前記第１の固定座の一部が前記第１の凹溝構造内に配置されることにより、前記第１の固定部を固定し、
前記第２の固定部は第２の凹溝構造を備え、前記第２の固定座の一部が前記第２の凹溝構造内に配置されることにより、前記第２の固定部を固定することを特徴とする、スライダー組立構造体。
【請求項６】
前記弾性部材は、前記第１の固定部と前記第２の固定部との間に連結される完全露出連結部と、前記第１の固定部に連結される尾端固定部とを備え、
前記完全露出連結部が前記第１の固定座と前記第２の固定座との間に設けられ、かつ、前記尾端固定部は前記第１の固定座と係合するように形成され、
前記第１の固定座は第１の左側被覆部及び第１の右側被覆部を備え、前記第１の固定部の左側端部が前記第１の左側被覆部に被覆されて前記第１の固定座に固定され、前記第１の固定部の右側端部が前記第１の右側被覆部に被覆されて前記第１の固定座に固定され、
前記第２の固定座は第２の左側被覆部及び第２の右側被覆部を備え、前記第２の固定部の左側端部が前記第２の左側被覆部に被覆されて前記第２の固定座に固定され、前記第２の固定部の右側端部が前記第２の右側被覆部に被覆されて前記第２の固定座に固定される、ことを特徴とする、請求項５に記載するスライダー組立構造体。
【請求項７】
前記第１の凹溝構造は少なくとも１つの第１の凹溝を備え、かつ、前記第１の固定座は、少なくとも１つの前記第１の凹溝内に配置される少なくとも１つの第１の凸部を備え、
前記第２の凹溝構造は少なくとも１つの第２の凹溝を備え、かつ、前記第２の固定座は少なくとも１つの前記第２の凹溝内に配置される少なくとも１つの第２の凸部を備え、
前記第１の固定部の幅と前記第２の固定部の幅とはいずれも前記完全露出連結部の幅よりも小さく形成され、かつ、いずれも前記尾端固定部の幅よりも大きく形成され、
少なくとも１つの前記第１の凹溝の内側面から前記第１の固定部の外側辺までの距離は前記第１の固定部の幅よりも小さく形成され、かつ、少なくとも１つの前記第２の凹溝の内側面と前記第２の固定部の外側辺との間の距離は前記第２の固定部の幅よりも小さく形成される、ことを特徴とする、請求項６に記載するスライダー組立構造体。
【請求項８】
前記第１の凹溝構造には、互いに対応するように設けられる２つの第１の凹溝が設けられ、かつ、前記第１の固定座は、それぞれ２つの前記第１の凹溝内に配置される２つの第１の凸部を含み、
前記第２の凹溝構造には、互いに対応するように設けられる２つの第２の凹溝が設けられ、前記第２の固定座はそれぞれ２つの前記第２の凹溝内に配置した２つの第２の凸部を備え、
前記第１の固定部の幅と前記第２の固定部の幅とはいずれも前記完全露出連結部の幅よりも小さく形成され、かつ、いずれも前記尾端固定部の幅よりも大きく形成され、
一方の前記第１の凹溝の内側面と他方の前記第１の凹溝の内側面との間の距離は前記第１の固定部の幅よりも小さく形成され、かつ、一方の前記第２の凹溝の内側面と他方の前記第２の凹溝の内側面との間の距離は前記第２の固定部の幅よりも小さく形成される、ことを特徴とする、請求項６に記載するスライダー組立構造体。
【請求項９】
スライダー組立構造体の摺動部に設けられる弾性部材であって、
前記摺動部に設けられる第１の固定座と係合するように形成される第１の固定部と、
前記摺動部に設けられる第２の固定座と係合するように形成される第２の固定部と、
前記第２の固定部に連結される弾性部と、
前記弾性部に連結される引っ張り部と、
前記引っ張り部に連結され、可動的に前記摺動部の貫通孔を貫通する挿入部と、を備え、
前記第１の固定部は第１の凹溝構造を備え、前記第１の固定座の一部が前記第１の凹溝構造内に配置され、前記第１の固定部を固定し、
また、前記第２の固定部は第２の凹溝構造を備え、前記第２の固定座の一部が前記第２の凹溝構造内に配置され、前記第２の固定部を固定することを特徴とする、弾性部材。
【請求項１０】
前記弾性部材には、前記第１の固定部と前記第２の固定部との間に連結される完全露出連結部と、前記第１の固定部に連結される尾端固定部とが設けられ、
前記完全露出連結部は前記第１の固定座と前記第２の固定座との間に配置され、前記尾端固定部は前記第１の固定座と係合するように形成され、
前記第１の固定座は第１の左側被覆部及び第１の右側被覆部を備え、前記第１の固定部の左側端部が前記第１の左側被覆部に被覆されて前記第１の固定座に固定され、前記第１の固定部の右側端部が前記第１の右側被覆部に被覆されて前記第１の固定座に固定され、
前記第２の固定座は第２の左側被覆部及び第２の右側被覆部を備え、前記第２の固定部の左側端部が前記第２の左側被覆部に被覆されて前記第２の固定座に固定され、かつ、前記第２の固定部の右側端部が前記第２の右側被覆部に被覆されて前記第２の固定座に固定される、ことを特徴とする、請求項９に記載する弾性部材。
【考案の詳細な説明】
【技術分野】
【０００１】
本考案はスライダー組立構造体及びその弾性部材に関し、特に固定強度及び位置決め強度を高めるスライダー組立構造体及びその弾性部材に関する。
【背景技術】
【０００２】
一般的に、衣服の基本的な開閉可能な留め具は、ボタンや線ファスナーである。ボタンと比べて、線ファスナーはより容易に使えより強固な構造に構成されている。線ファスナーにはスライダー及びファスナーが備えられる。スライダーは主にファスナーと係合しエレメント同士を噛み合い又は離せるように往復して引くために使われている。線ファスナーは衣服又はアクセサリーに広く使われている。しかし、従来の線ファスナー構造には改善の余地がある。
【考案の概要】
【考案が解決しようとする課題】
【０００３】
本考案が解決しようとする技術的な課題は、既存技術の不足について、スライダー組立構造体及びその弾性部材を提供する。
【課題を解決するための手段】
【０００４】
上記の課題を解決するために、本考案が採用する１つの技術的な手段は、摺動部、弾性部材及び引き手を含むスライダー組立構造体を提供する。前記摺動部は第１の固定座、第２の固定座及び貫通孔を備える。前記弾性部材は前記摺動部に配置され、前記弾性部材には前記第１の固定座と係合するように形成される第１の固定部と、前記第２の固定座と係合するように形成される第２の固定部と、前記貫通孔を可動的に貫通する挿入部と、を含む。前記引き手と前記弾性部材とが係合するように形成される。中でも、前記第１の固定部が第１の凹溝構造を有する。前記第１の固定座の一部が前記第１の固定部を固定するように。前記第１の凹溝構造に配置される。中でも、前記第２の固定部が第２の凹溝構造を有する。前記第２の固定座の一部が前記第２の固定部を固定するように、前記第２の凹溝構造に配置される。
【０００５】
上記の課題を解決するために、本考案が採用する１つ異なる技術的な手段は、スライダー組立構造体における一摺動部に配置さる弾性部材を提供する。前記弾性部材は、第１の固定部、第２の固定部、弾性部、引っ張り部及び挿入部を含む。前記第１の固定部は前記摺動部の第１の固定座と係合するように形成される。前記第２の固定部は前記摺動部の第２の固定座と係合するように形成される。前記弾性部が前記第２の固定部に連結される。前記引っ張り部が前記弾性部に連結される。前記挿入部が前記引っ張り部に連結されると共に、前記摺動部における貫通孔を可動的に貫通する。中でも、前記第１の固定部が第１の凹溝構造を有し、前記第１の固定座の一部が前記第１の固定部を固定するように前記第１の凹溝構造に配置される。中でも、前記第２の固定部が第２の凹溝構造を有し、前記第２の固定座の一部が前記第２の固定部を固定するように前記第２の凹溝構造に配置される。
【図面の簡単な説明】
【０００６】
【図１】本考案の第１の実施形態に係るスライダー組立構造体を示す分解斜視図である。
【図２】本考案の第１の実施形態に係るスライダー組立構造体にかしめ加工が行われる前の状態を示す斜視図である。
【図３】本考案の第１の実施形態に係るスライダー組立構造体にかしめ加工が行われる前の状態を示す平面図である。
【図４】本考案の第１の実施形態に係るスライダー組立構造体にかしめ加工が行われた状態を示す斜視図である。
【図５】本考案の第１の実施形態に係るスライダー組立構造体による引き手が引っ張り部を引っ張らずにほぼ水平に置かれたときの状態を示す断面図である。
【図６】本考案の第１の実施形態に係るスライダー組立構造体による引き手が引っ張り部を引っ張ったように立たれた状態を示す断面図である。
【図７】本考案の第１の実施形態に係るスライダー組立構造体による引き手が水平に置かれてコブに当接する状態を示す図である。
【図８】本考案の第１の実施形態に係るスライダー組立構造体による引き手が水平に置かれてコブに当接する状態に対応する異なる図である。
【図９】本考案の第２の実施形態に係るスライダー組立構造体にかしめ加工が行われる前の状態を示す平面図である。
【図１０】本考案の第３の実施形態に係るスライダー組立構造体にかしめ加工が行われる前の状態を示す平面図である。
【図１１】本考案の第４の実施形態に係るスライダー組立構造体にかしめ加工が行われる前の状態を示す平面図である。
【図１２】本考案の第５の実施形態に係るスライダー組立構造体にかしめ加工が行われる前の状態を示す平面図である。
【図１３】本考案の第６の実施形態に係るスライダー組立構造体にかしめ加工が行われる前の状態を示す平面図である。
【考案を実施するための形態】
【０００７】
［第１の実施形態］
本考案の特徴及び技術内容がより一層分かるように、以下本考案に関する詳細な説明と添付図面を参照する。しかし、提供される添付図面は参考と説明のために提供するものに過ぎず、本考案の実用新案登録請求の範囲を制限するためのものではない。
【０００８】
下記より、具体的な実施例で本考案が開示する「スライダー組立構造体及びその弾性部材」に係る実施形態を説明する。当業者は本明細書の公開内容により本考案のメリット及び効果を理解し得る。本考案は他の異なる実施形態により実行又は応用できる。本明細書における各細節も様々な観点又は応用に基づいて、本考案の精神を逸脱しない限りに、均等の変形と変更を行うことができる。また、本考案の図面は簡単で模式的に説明するためのものであり、実際的な寸法を示すものではない。以下の実施形態において、さらに本考案に係る技術事項を説明するが、公開された内容は本考案を限定するものではない。
【０００９】
［第１の実施形態］
図１ないし図６に示すように、本考案の第１の実施形態には、摺動部１、弾性部材２及び引き手３を含むスライダー組立構造体Ｓが提供される。中でも、図５は図４のＶ−Ｖ断面を示す断面図である。
【００１０】
まず、図１、図３及び図５を合わせて参照するように、摺動部１には、第１の摺動体１Ａと、第１の摺動体１Ａに対応する第２の摺動体１Ｂと、第１の摺動体１Ａと第２の摺動体１Ｂとの間に連結される連結体１Ｃと、が備えられる。例えば、摺動部１は第１の摺動体１Ａ、第２の摺動体１Ｂ及び連結体１Ｃにより一体的に成形されてもよい。なお、本考案はそれに制限されない。また、第１の摺動体１Ａは、第１の固定座１１、第２の固定座１２及び貫通孔１１０を含む。例を挙げれば、貫通孔１１０は第１の摺動体１Ａを貫通して第２の固定座１２よりも第１の固定座１１に近接するように形成されてもよいが、本考案はそれに制限されない。
【００１１】
さらに、図１、図３及び図５を合わせて参照するように、弾性部材２が摺動部１に設けられる。さらに言えば、弾性部材２は、第１の固定座１１と係合するように形成される第１の固定部２１と、第２の固定座１２と係合するように形成される第２の固定部２２と、第２の固定部２２に連結される弾性部２３と、弾性部２３に連結される引っ張り部２４と、引っ張り部２４に連結される挿入部２５と、を含む。かつ、挿入部２５は可動的に貫通孔１１０を貫通する。例を挙げれば、弾性部材２には、第１の固定部２１と第２の固定部２２との間に連結される完全露出連結部２６と、第１の固定部２１に連結される尾端固定部２７が設けられる。完全露出連結部２６が第１の固定座１１と第２の固定座１２との間に配置され、尾端固定部２７が第１の固定座１１と係合するように形成されるが、本考案はそれに制限されない。
【００１２】
また、図１、図３、図５及び図６を合わせて参照するように、引き手３は弾性部材２と係合するように形成され、かつ、引き手３は、摺動部１と弾性部材２との間に配置される軸支体３０を備える。例を挙げれば、図５に示すように、引き手３が引っ張り部２４を引っ張らずに、ほぼ水平に置かれると、挿入部２５の一部が貫通孔１１０を貫通して第１の摺動体１Ａの下方から突出する。そして、図６に示すように、引き手３が立たれて引っ張り部２４を引っ張ると、挿入部２５の一部が第１の摺動体１Ａの下方から突出することなく貫通孔１１０に後退する。なお、本考案はこれに制限されない。
【００１３】
さらに言えば、図１、図３及び図４を合わせて参照するように、第１の固定部２１は第１の凹溝構造２１１を含み、第１の固定座１１の一部が、第１の固定部２１が第１の固定座１１に対する水平方向での移動を制限して、第１の固定部２１を固定するように、第１の凹溝構造２１１内に配置され、そのために、引き手３を引っ張ったり捻ったりする際に、第１の固定部２１は容易に第１の固定座１１から外れることがない。また、第２の固定部２２は第２の凹溝構造２２１を備え、第２の固定座１２の一部が、第２の固定部２２が第２の固定座１２に対する水平方向での移動を制限するように、第２の凹溝構造２２１内に配置され、それにより、第２の固定部２２が引き手３を引っ張ったり捻ったりする際に、第２の固定座１２が外れない。
【００１４】
上述を踏まえて、例を挙げれば、図１、図３及び図４を合わせて参照するように、第１の固定座１１は第１の左側被覆部１１１及び第１の右側被覆部１１２を備える。第１の左側被覆部１１１及び第１の右側被覆部１１２に加工が行われた（図４に示したかしめ加工のように）、第１の固定部２１の左側端部２１０１は第１の左側被覆部１１１により被覆され第１の固定座１１に固定され、かつ、第１の固定部２１の右側端部２１０２は第１の右側被覆部１１２により被覆され第１の固定座１１に固定される。また、第２の固定座１２は第２の左側被覆部１２１及び第２の右側被覆部１２２を含む。第２の左側被覆部１２１及び第２の右側被覆部１２２に加工を行った後（図４に示したかしめ加工のように）、第２の固定部２２の左側端部２２０１が第２の左側被覆部１２１に被覆されて第２の固定座１２に固定され、かつ、第２の固定部２２の右側端部２２０２が第２の右側被覆部１２２により被覆されて第２の固定座１２に固定される。なお、本考案はこの例に制限されない。
【００１５】
上述を踏まえて、例を挙げれば、図１、図３及び図４を合わせて参照するように、第１の凹溝構造２１１は少なくとも１つの第１の凹溝２１１１を備え、かつ、第１の固定座１１は、少なくとも１つの第１の凹溝２１１１内に配置される少なくとも１つの第１の凸部１１０１を備える。すなわち、第１の固定部２１の左側端部２１０１が第１の左側被覆部１１１により被覆されると、少なくとも１つの第１の凸部１１０１は少なくとも１つの第１の凹溝２１１１内に圧入され、それにより、第１の凸部１１０１と第１の凹溝２１１１を係合することにより、第１の固定部２１は安定的に第１の固定座１１に固定されることができる。また、第２の凹溝構造２２１は少なくとも１つの第２の凹溝２２１１を備え、かつ、第２の固定座１２は、少なくとも１つの第２の凹溝２２１１内に配置される少なくとも１つの第２の凸部１２０１を備える。すなわち、第２の固定部２２の左側端部２２０１が第２の左側被覆部１２１により被覆されると、少なくとも１つの第２の凸部１２０１が少なくとも１つの第２の凹溝２２１１に圧入され、それにより、第２の凸部１２０１と第２の凹溝２２１１とを係合させることにより、第２の固定部２２は安定的に第２の固定座１２に固定されるが、本考案はこの例に制限されない。
【００１６】
上述を踏まえて、例を挙げれば、図３に示すように、第１の固定部２１の幅Ｗ１と第２の固定部２２の幅Ｗ２とはいずれも完全露出連結部２６の幅Ｗ３よりも小さく形成される。第１の固定部２１の幅Ｗ１と第２の固定部２２の幅Ｗ２とはいずれも尾端固定部２７の幅Ｗ４よりも大きく形成される。少なくとも１つの第１の凹溝２１１１の内側面２１１１０から第１の固定部２１の外側辺２１０００までの距離Ｄ１は第１の固定部２１の幅Ｗ１よりも小さく形成される。少なくとも１つの第２の凹溝２２１１の内側面２２１１０と第２の固定部２２の外側辺２２０００との間の距離Ｄ２は第２の固定部２２の幅Ｗ２よりも小さく形成される。なお、本考案はこの例に制限されない。
【００１７】
説明に値するのは、図７及び図４を合わせて参照するように、引き手３がほぼ水平に置かれた場合、引き手３はコブ１３に当接して、第１の摺動体１Ａに完全に直接的に載置されるわけではないため、コブ１３を用いることにより、引き手３と第１の摺動体１Ａとの接触面積を小さくすることができるが、本発明はこれに限定されるものではない。
【００１８】
説明に値するのは、図３に示すように、本考案の第１の実施形態の例では、第１の凸部１１０１と第２の凸部１２０１を摺動部材１に「斜めに」配置することができ、第１の溝２１１１と第２の溝２２１１は、本発明はこれに限定されるものではない。第１の凸部１１０１と第２の凸部１２０１とは「対角配置」で摺動部１に配置され、かつ、第１の凹溝２１１１と第２の凹溝２２１１とは「対角配置」で弾性部材２に配置されてもよいが、本考案はこの例に制限されない。
【００１９】
［第２の実施形態］
図９に示すように、本考案の第２の実施形態では摺動部１、弾性部材２及び引き手３を備える、スライダー組立構造体Ｓを提供する。図３及び図９を合わせて参照するように、本考案の第２の実施形態と第１の実施形態との最大の差異点は、本考案の第２の実施形態の例では、第１の凸部１１０１と第２の凸部１２０１とは、「直線配置」（同側辺に配置）により、摺動部１に配置され、かつ、第１の凹溝２１１１と第２の凹溝２２１１とは「直線配置」（同側辺に配置）により、弾性部材２に配置されてもよいが、本考案はこの例に制限されない。
【００２０】
［第３の実施形態］
図１０に示すように、本考案の第２の実施形態では、摺動部１、弾性部材２及び引き手３を含むスライダー組立構造体Ｓを提供する。図１０及び図３を合わせて参照すれば分かるように、本考案の第３の実施形態と第１の実施形態との最大の差異点は下記の通りとなる。
【００２１】
まず、第１の凹溝構造２１１には対応するように設けあれる２つの第１の凹溝２１１１が設けられ、かつ、第１の固定座１１には、２つの第１の凹溝２１１１内にそれぞれ配置される２つの第１の凸部１１０１が設けられる。すなわち、第１の固定部２１の左側端部２１０１及び右側端部２１０２はそれぞれ第１の左側被覆部１１１と第１の右側被覆部１１２とが被覆される場合、２つの第１の凸部１１０１はそれぞれ２つの第１の凹溝２１１１内に圧入され、それにより、２つの第１の凸部１１０１と２つの第１の凹溝２１１１が係合することにより、第１の固定部２１を安定的に第１の固定座１１に固定することができる。
【００２２】
また、第２の凹溝構造２２１には互いに対応するように設けられる２つの第２の凹溝２２１１を備え、かつ、第２の固定座１２は、それぞれ２つの第２の凹溝２２１１内に配置される２つの第２の凸部１２０１を備える。すなわち、第２の固定部２２の左側端部２２０１及び右側端部２２０２がそれぞれ第２の左側被覆部１２１と第２の右側被覆部１２２とが被覆される場合、２つの第２の凸部１２０１はそれぞれ２つの第２の凹溝に圧入され、それにより、２つの第２の凸部１２０１と２つの第２の凹溝２２１１とが係合することにより、第２の固定部２２を安定的に第２の固定座に固定される。
【００２３】
上述を踏まえて、例を挙げれば、第１の固定部２１の幅Ｗ１と第２の固定部２２の幅Ｗ２はいずれも完全露出連結部２６の幅Ｗ３よりも小さく形成される。第１の固定部２１の幅Ｗ１と第２の固定部２２の幅Ｗ２とのいずれも尾端固定部２７の幅Ｗ４よりも大きく形成される。中でも、第１の凹溝２１１１の内側面２１１１０と対応的に異なる第１の凹溝２１１１の内側面２１１１０との間の距離Ｄ３は第１の固定部２１の幅Ｗ１よりも小さく形成される。中でも、第２の凹溝２２１１の内側面２２１１０は対応的に異なる第２の凹溝２２１１の一内側面２２１１０との間の距離Ｄ４は第２の固定部２２の幅Ｗ２よりも小さく形成される。なお、本考案はそれに制限されない。
【００２４】
［第４の実施形態］
図１１に示すように、本考案の第４の実施形態では、摺動部１、弾性部材２及び引き手３を含むスライダー組立構造体Ｓを提供する。図１１及び図３を合わせて参照すれば分かるように、本考案の第４の実施形態と第１の実施形態との最大の差異点では、第４の実施形態における少なくとも１つの第１の凸部２１１１'と少なくとも１つの第２の凸部２２１１'とはそれぞれ第１の実施形態における第１の凹溝２１１１及び第２の凹溝２２１１を置き換えて、かつ、第４の実施形態における少なくとも１つの第１の凹溝１１０１'と少なくとも１つの第２の凹溝１２０１'とはそれぞれ第１の実施形態における第１の凸部１１０１及び第２の凸部１２０１を置き換えるためのものである。
【００２５】
そのために、第１の固定部２１の左側端部２１０１が第１の左側被覆部１１１に被覆される場合、第１の凸部２１１１'は第１の凹溝１１０１'内に圧入され、それにより、第１の凸部２１１１'と第１の凹溝１１０１'とが係合することにより第１の固定部２１を安定的に第１の固定座１１に固定することができる。また、第２の固定部２２の左側端部２２０１が第２の左側被覆部１２１に被覆される場合、第２の凸部２２１１'は第２の凹溝１２０１'内に圧入され、それにより、第２の凸部２２１１'と第２の凹溝１２０１'とが係合することにより、第２の固定部２２を安定的に第２の固定座１２に固定される。なお、本考案はそれに制限されない。
【００２６】
［第５の実施形態］
図１２に示すように、本考案の第５の実施形態では、摺動部１、弾性部材２及び引き手３を含むスライダー組立構造体Ｓを提供する。図１２及び図１１を合わせて参照すれば分かるように、本考案の第５の実施形態と第４の実施形態との最大の差異点では、本考案の第５の実施形態の例では、第１の凸部２１１１'と第２の凸部２２１１'とは「直線配置」（同側辺に配置）により、摺動部１に配置され、かつ、第１の凹溝１１０１'と第２の凹溝１２０１'とは「直線配置」（同側辺に配置）により、弾性部材２に配置されてもよいが、本考案はそれに制限されない。
【００２７】
［第６の実施形態］
図１３に示すように、本考案の第６の実施形態では、摺動部１、弾性部材２及び引き手３スライダー組立構造体Ｓを含む構造を提供する。図１３及び図１１を合わせて参照すれば分かるように、本考案の第６の実施形態と第４の実施形態との最大の差異点では、本考案の第６の実施形態の例では、２つの第１の凸部２１１１'、２つの第２の凸部２２１１'、２つの第１の凹溝１１０１'及び２つの第２の凹溝１２０１'が設けられるが、本考案はそれに制限されない。
【００２８】
［実施形態による有益な効果］
本考案による有益な効果の１つとしては、本考案が提供するスライダー組立構造体Ｓ及びその弾性部材２は、「第１の固定部２１が第１の凹溝構造２１１を備え、第１の固定座１１の一部が第１の凹溝構造２１１内に配置される」、及び「第２の固定部２２が第２の凹溝構造２２１を備え、第２の固定座１２の一部が第２の凹溝構造２２１内に配置される」という技術的手段により、第１の固定部２１及び第２の固定部２２を固定する。そのために、本考案では、第１の凹溝構造２１１と第２の凹溝構造２２１とを利用することにより、弾性部材２における第１の固定部２１及び第２の固定部２２の固定強度又は位置決め強度を高めることができる。
【００２９】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の実用新案登録請求の範囲に含まれるものとする。
【符号の説明】
【００３０】
Ｓ          スライダー組立構造体
１          摺動部
１Ａ        第１の摺動体
１１        第１の固定座
１１０      貫通孔
１１１      第１の左側被覆部
１１２      第１の右側被覆部
１１０１    第１の凸部
１１０１'  第１の凹溝
１２        第２の固定座
１２１      第２の左側被覆部
１２２      第２の右側被覆部
１２０１    第２の凸部
１２０１'  第２の凹溝
１３        コブ
１Ｂ        第２の摺動体
１Ｃ        連結体
２          弾性部材
２１        第１の固定部
２１０００  外側辺
２１０１    左側端部
２１０２    右側端部
２１１      第１の凹溝
２１１１    第１の凹溝
２１１１'  第１の凸部
２１１１０  内側面
２２        第２の固定部
２２０００  外側辺
２２０１    左側端部
２２０２    右側端部
２２１      第２の凹溝構造
２２１１    第２の凹溝
２２１１'  第２の凸部
２２１１０  内側面
２３        弾性部
２４        引っ張り部
２５        挿入部
２６        完全露出連結部
２７        尾端固定部
３          引き手
３０        軸支体
Ｗ１、Ｗ２、Ｗ３、Ｗ４    幅
Ｄ１、Ｄ２、Ｄ３、Ｄ４    距離
【図１】
0003219336.tif 000003
【図２】
0003219336.tif 000004
【図３】
0003219336.tif 000005
【図４】
0003219336.tif 000006
【図５】
0003219336.tif 000007
【図６】
0003219336.tif 000008
【図７】
0003219336.tif 000009
【図８】
0003219336.tif 000010
【図９】
0003219336.tif 000011
【図１０】
0003219336.tif 000012
【図１１】
0003219336.tif 000013
【図１２】
0003219336.tif 000014
【図１３】
0003219336.tif 000015